(57)【要約】      （修正有）【課題】誰でも容易に扱え、かつ、芳香効果の高い芳香装置を提供する。【解決手段】芳香剤を徐放可能な芳香装置であって、芳香装置は、プレート部、芳香剤担持部材及び留め部から成り、プレート部は、プレート本体３及び蓋部２から成り、プレート本体３には、芳香剤担持部材を収容するための凹部が設けられ、蓋部２には、ボタンの糸孔を模した貫通孔２１が設けられ、プレート部の裏面上に、留め部が固着される。貫通孔２１は４つ設けて、一般的なボタンと同様の形状と合わせる。プレート本体３と蓋部２は、嵌合又は螺合により脱着自在に固定させる。留め部は、針部４及び留具５から成り、ピンズやピンバッチとして利用できる。【選択図】図１
0003208399.tif 000002
【実用新案登録請求の範囲】
【請求項１】
芳香剤を徐放可能な芳香装置であって、
前記芳香装置は、プレート部、芳香剤担持部材及び留め部から成り、
前記プレート部は、プレート本体及び蓋部から成り、
前記プレート本体には、前記芳香剤担持部材を収容するための凹部が設けられ、
前記蓋部には、ボタンの糸孔を模した貫通孔が設けられ、
前記プレート部の裏面上に、前記留め部が固着されたことを特徴とする芳香装置。
【請求項２】
前記貫通孔は、４つ設けられたことを特徴とする請求項１に記載の芳香装置。
【請求項３】
前記プレート本体と前記蓋部は、嵌合又は螺合により脱着自在に固定されることを特徴とする請求項１又は２に記載の芳香装置。
【請求項４】
前記留め部は、針部及び留具から成り、ピンズとして利用可能であることを特徴とする請求項１〜３の何れかに記載の芳香装置。
【請求項５】
前記留め部は、クリップ形状を呈し、髪留め用具として利用可能であることを特徴とする請求項１〜３の何れかに記載の芳香装置。
【請求項６】
前記留め部は、紐状又はチェーン状を呈し、ペンダントとして利用可能であることを特徴とする請求項１〜３の何れかに記載の芳香装置。
【考案の詳細な説明】
【技術分野】
【０００１】
本考案は、香りを発する芳香装置に関し、特に、衣類等に装着する用具に関する。
【背景技術】
【０００２】
従来から、植物から抽出した香り成分である精油を使った美容法、健康法としてアロマテラピーが盛んに行われている。アロマテラピーの楽しみ方としては、精油を入れた湯に身体を浸ける沐浴法、精油成分を鼻や口から吸入する吸入法等の様々な方法があるが、最も簡単な方法として、ティッシュペーパーやハンカチに１〜２滴垂らして傍に置いておく芳香浴法が多く用いられている。
しかしながら、芳香浴法の場合、移動するときには精油を染み込ませた物品を一緒に持ち歩かなければならず、煩雑であるという問題があった。
【０００３】
そこで、衣類に取り付けられるボタンに、芳香効果を付加した芳香除放性ボタンが知られている（特許文献１を参照）。これは、ボタンの表面上に溝を設け、芳香液を担持させた綿等を装填して芳香効果を持たせるものである。
しかしながら、特許文献１に開示された芳香除放性ボタンでは、除放性を発揮するために孔を設けるが、それによりボタンとして扱いづらくなり、機能性が損なわれるという問題がある。また、ボタンを取り付けるための糸孔を、除放性を発揮するための孔として利用する構成も開示されているが、かかる場合でも、特許文献１に開示された芳香除放性ボタンは、あくまでもボタンとして利用するものであるから、糸孔に糸が通されることにより、芳香効果が十分に発揮されなくなるという問題がある。
【０００４】
また、ピンズに精油を滴下して使用するアロマピンズが知られている（非特許文献１を参照）。これによれば、精油を滴下した布等を持ち歩かずとも香りを身に付けることが可能である。
しかしながら、非特許文献１に開示されているアロマピンズでは、ピンズのプレート部の表面が布状に形成されており、精油を吸収しやすい構造となっているが、表面が布状であるがゆえに汚れが付きやすいという問題がある。また、ピンズに滴下した精油が他の物品に付着して、他の物品を汚してしまうという問題もある。
【先行技術文献】
【特許文献】
【０００５】
【特許文献１】特開２００５−３３４４８６号公報
【非特許文献】
【０００６】
【非特許文献１】アットアロマ株式会社製アロマピンズ（http://www.at-aroma.com/aromapins/index.html）
【考案の概要】
【考案が解決しようとする課題】
【０００７】
上記状況に鑑みて、本考案は、誰でも容易に扱え、かつ、芳香効果の高い芳香装置を提供することを目的とする。
【課題を解決するための手段】
【０００８】
上記目的を達成すべく、本考案の芳香装置は、芳香剤を徐放可能な芳香装置であって、芳香装置は、プレート部、芳香剤担持部材及び留め部から成り、プレート部は、プレート本体及び蓋部から成り、プレート本体には、芳香剤担持部材を収容するための凹部が設けられ、蓋部には、ボタンの糸孔を模した貫通孔が設けられ、プレート部の裏面上に、留め部が固着されたことを特徴とする。
【０００９】
プレート部に芳香剤担持部材が収容される構成を有することにより、着用時に手等に精油が付着するといったことがない。また、芳香剤担持部材が外部に露出せず、一見すると、芳香装置とは気付かれにくいデザインとなっている。
蓋部には、貫通孔が設けられており、芳香剤成分を効果的に放出することが可能である。貫通孔は、芳香剤成分を放出する機能を有しているが、外観上はボタンの形状を呈しているため、一般的にボタンに設けられる糸孔と同様に、２つ以上設けられることが好ましい。
【００１０】
本考案の芳香装置において、貫通孔は、少なくとも１つ設けるが、好ましくは４つ設ける。貫通孔が４つ設けられることで、十分な芳香効果が期待できる。また、一般的なボタンと同様の形状となり、衣類等に装着した場合、自然に身に付けることができ、機能性だけではなく、デザイン性も高めることができる。
【００１１】
本考案の芳香装置において、プレート本体と蓋部は、嵌合又は螺合により脱着自在に固定されることが好ましい。
かかる構成とされることにより、プレート本体から蓋部を取り外して、プレート内部に収容された芳香剤担持部材に芳香剤を滴下する等して、芳香剤成分を容易に担持させることが可能である。
【００１２】
本考案の芳香装置は、留め部が針部及び留具から成り、ピンズやピンバッチとして利用可能である。なお、利用のバリエーションとしては、バッグや財布、ストールやネクタイ、上着などの衣服に取り付けたり、カフスボタンとして使用することも可能である。
【００１３】
本考案の芳香装置は、留め部がクリップ形状を呈し、髪留め用具として使用することも可能である。
【００１４】
本考案の芳香装置は、留め部が紐状又はチェーン状を呈し、ペンダントやアクセサリとして使用することも可能である。
【考案の効果】
【００１５】
本考案の芳香装置によれば、誰でも容易に扱え、かつ、芳香効果が高いといった効果を有する。
【図面の簡単な説明】
【００１６】
【図１】実施例１の芳香装置の外観斜視図
【図２】実施例１の芳香装置の断面図
【図３】実施例１の芳香装置の蓋部取り外し時の断面図
【図４】実施例１の芳香装置の正面図
【図５】実施例１の芳香装置の説明図
【図６】実施例１の芳香装置の説明イメージ図
【考案を実施するための最良の形態】
【００１７】
以下、本考案の実施形態について、図面を参照しながら詳細に説明していく。なお、本考案の範囲は、以下の実施例や図示例に限定されるものではなく、幾多の変更及び変形が可能である。
【実施例１】
【００１８】
図１は、実施例１の芳香装置の外観斜視図を示している。図１に示すように、ピンズ１は、蓋部２、プレート本体３、針部４、留具５から成る。蓋部２には、貫通孔２１が設けられている。蓋部２とプレート本体３は嵌合して固定されることで、プレート部を形成し、衣類等に装着した際にはボタンのような外観を呈す。また、ここでは図示しないが、プレート部の内部には綿が設けられている。
【００１９】
図２は、実施例１の芳香装置の断面図を示している。図２に示すように、プレート本体３の中央部には凹部３１が形成され、凹部３１には綿６が設けられている。ピンズ１を衣類等に装着して使用する際には、蓋部２とプレート本体３は嵌合して固定されるが、貫通孔２１が設けられているため、綿６に充填された芳香成分は、貫通孔２１を通じて、外部へと放出される。なお、ここでは、説明の便宜上、留具５は図示していない。
【００２０】
図３は、実施例１の芳香装置の蓋部取り外し時の断面図を示している。図３に示すように、蓋部２とプレート本体３は嵌合して固定されているため、綿６に精油を充填する際には、プレート本体３から蓋部２を取り外して充填することが可能である。
【００２１】
図４は、実施例１の芳香装置の正面図を示している。ピンズ１は、一般的なピンズとして使用可能な構造を有しているが、図４に示すように、正面視上は衣類等に設けられたボタンに類似した形状を呈しているため、ピンズ１が芳香装置であることを、他人から気付かれることなく、身に付けることが可能である。
【００２２】
図５は、実施例１の芳香装置の説明図を示している。図５に示すように、ピンズ１を使用する際には、プレート本体３から蓋部２を取り外し、ボトル７から精油７１を綿６に１〜２滴垂らして、染み込ませる。
次に、プレート本体３と蓋部２を嵌合する。衣類等への装着は、針部４から留具５を外した状態で、針部４を、図示しない衣類等へ挿し込み、針部４の先端部に留具５を取り付けて固定する。
【００２３】
図６は、実施例１の芳香装置の説明イメージ図を示している。図６に示すように、蓋部２には貫通孔２１が設けられているため、図５に示した綿６に充填された精油７１から、芳香成分７２が、貫通孔２１を通じて、外部へと放出される。
【００２４】
（その他の実施例）
（１）プレート本体と蓋部は、螺合により脱着自在に固定される構造であってもよい。
（２）芳香装置の留め部は、クリップ形状を呈し、髪留め用具として利用可能であってもよい。
（３）芳香装置の留め部は、紐状又はチェーン状を呈し、ペンダントとして利用可能であってもよい。
【産業上の利用可能性】
【００２５】
本考案は、衣類等に装着する芳香装置として有用である。
【符号の説明】
【００２６】
１  ピンズ
２  蓋部
３  プレート本体
４  針部
５  留具
６  綿
７  ボトル
２１  貫通孔
２２  凸部
３１  凹部
３２  筒部
７１  精油
７２  芳香成分
【図１】
0003208399.tif 000003
【図２】
0003208399.tif 000004
【図３】
0003208399.tif 000005
【図４】
0003208399.tif 000006
【図５】
0003208399.tif 000007
【図６】
0003208399.tif 000008